(57)【要約】【課題】巡回追跡システムを提供する。【解決手段】本発明の巡回追跡システムは、ＮＦＣキャリアと、携帯装置と、クラウドサーバーと、を備える。前記ＮＦＣキャリアは巡回地点に設置するために用いられ、管理者が携帯装置の制御ユニットによりＮＦＣキャリアをスキャンした後、ＮＦＣ装置設定ファイルが作成されて前記クラウドサーバーにアップロードされる。巡回者が前記巡回地点に到着後、前記携帯装置により前記ＮＦＣキャリアのスキャンが可能になり、スキャン後にＧＰＳ座標を有する巡回記録ファイルが作成され、前記クラウドサーバーにアップロードされる。管理者が巡回者の実際の巡回位置を明確に管理可能になり、確実な巡回を行う目的を達成させる。【選択図】図１Ａ
2020119067.tif 000002
【特許請求の範囲】
【請求項１】
パスラベルに対応するＮＦＣ回路を含み、巡回地点に設置するためのＮＦＣキャリアと、
スクリーンユニットと、ＧＰＳユニットと、ＮＦＣスキャナユニットと、制御ユニットと、を具備し、前記制御ユニットは前記スクリーンユニット、前記ＧＰＳユニット、及び前記ＮＦＣスキャナユニットに接続される携帯装置と、を少なくとも備え、
前記制御ユニットは、
前記スクリーンユニットに表示される複数の操作インターフェースを提供するためのインターフェース管理モジュールと、
前記インターフェース管理モジュールに接続され、ユーザーアカウントにログインさせるためのアカウントログインモジュールと、
前記アカウントログインモジュールに接続され、ＮＦＣデータ、基本データ、巡回地点座標、或いは／及び設定写真ファイルを含むＮＦＣ装置設定ファイルを作成するために用いられるデータファイリングモジュールと、
前記ＮＦＣスキャナユニット、前記インターフェース管理モジュール、及び前記データファイリングモジュールに接続され、前記操作インターフェース上で１つ以上のパスラベルを入力またはスキャンさせるために用いられ、且つ前記携帯装置により前記ＮＦＣキャリアがスキャンされた後、前記ＮＦＣ回路から伝送されるＮＦＣデータが取得され、前記ＮＦＣデータが前記パスラベルの内容と同じであるか否かを判断させる識別認証モジュールと、
前記インターフェース管理モジュール、識別認証モジュール、及び前記データファイリングモジュールに接続され、前記識別認証モジュールにより前記ＮＦＣデータが前記パスラベルの内容と同じであると判断された後、前記操作インターフェース上で１つ以上の基本データを入力させる基本データ設定モジュールと、
前記ＧＰＳユニット、前記インターフェース管理モジュール、及び前記データファイリングモジュールに接続され、前記ＧＰＳユニットを介して１つ以上の巡回地点座標を取得させるための座標設定モジュールと、
前記ＮＦＣスキャナユニット、前記ＧＰＳユニット、及び前記インターフェース管理モジュールに接続され、前記ＮＦＣキャリアのスキャンを行い、スキャン完了後に巡回地点座標及びスキャン時間点を少なくとも含む巡回記録ファイルが作成される巡回確認モジュールと、
前記データファイリングモジュール及び前記巡回確認モジュールに接続され、前記ＮＦＣ装置設定ファイル及び前記巡回記録ファイルのアップロードを行うためのデータアップロードモジュールと、
前記携帯装置の制御ユニットに接続されるクラウドサーバーと、を含み、
前記クラウドサーバーは、
１つ以上のユーザーアカウント及びパスワードの保存及び作成に用いられ、前記ユーザーアカウントは管理者或いは／及び巡回者のアカウントであるアカウント管理ユニットと、
１つ以上のＮＦＣ装置設定ファイルを受信させて保存させるために用いられる設定ファイル保存ユニットであって、１つ以上のＮＦＣ装置設定ファイルが管理者アカウントに対応させることと、
前記設定ファイル保存ユニットに接続され、１つ以上の巡回記録ファイルを受信させて保存させるために用いられ、前記設定ファイル保存ユニット中で前記巡回地点座標の内容に基づいて、前記巡回記録ファイルが対応させるＮＦＣ装置設定ファイルを対応させると共に巡回記録リストを作成する巡回記録ユニットと、を具備することを特徴とする巡回追跡システム。
【請求項２】
前記携帯装置は前記制御ユニットに接続されるマイクユニット及びスピーカーユニットを更に備え、前記制御ユニットは音声設定モジュールを更に含み、前記音声設定モジュールは前記マイクユニット、前記インターフェース管理モジュール、及び前記データファイリングモジュールに接続され、１つ以上のリマインダー音声ファイルの作成または選択に用いられ、前記巡回確認モジュールにより前記ＮＦＣキャリアがスキャンされた後、前記スピーカーユニットにより前記リマインダー音声ファイルが再生されることを特徴とする請求項１に記載の巡回追跡システム。
【請求項３】
前記携帯装置は前記制御ユニットに接続される撮影ユニットを更に備え、前記制御ユニットは写真設定モジュールを更に含み、前記写真設定モジュールは前記撮影ユニット、インターフェース管理モジュール、及び前記データファイリングモジュールに接続され、１つ以上の設定写真ファイルの撮影または選択に用いられることを特徴とする請求項１に記載の巡回追跡システム。
【請求項４】
前記制御ユニットは、前記インターフェース管理モジュールに接続されると共に前記操作インターフェース上に１つ以上の情報内容を表示させるための情報表示モジュールを更に備え、前記情報内容は文字、画像、シンボル、またはそれらの２種類以上が結合されたものであることを特徴とする請求項１に記載の巡回追跡システム。
【請求項５】
前記クラウドサーバーは巡回リマインダーユニットを更に備え、前記巡回リマインダーユニットは前記設定ファイル保存ユニットに接続され、リマインダー期限データ、リマインダー通知モードデータ、及びリマインダー通知回数データの内容に基づいて設定されたリマインダー時間に近付いているまたはリマインダー時間に達したかが判断され、リマインダーメッセージを発信させることを特徴とする請求項１に記載の巡回追跡システム。
【請求項６】
前記巡回リマインダーユニットは携帯ショートメールまたはＥメール伝送方式により前記リマインダーメッセージを発信させることを特徴とする請求項５に記載の巡回追跡システム。
【請求項７】
前記制御ユニットは、前記インターフェース管理モジュール及び前記データファイリングモジュールに接続されて１つ以上のリマインダー期限データの入力または選択に用いられるリマインダー期限設定モジュールを更に備えることを特徴とする請求項５に記載の巡回追跡システム。
【請求項８】
前記制御ユニットは、前記インターフェース管理モジュール及び前記データファイリングモジュールに接続されて１つ以上のリマインダー通知モードデータの入力または選択に用いられるリマインダー通知モード設定モジュールを更に備えることを特徴とする請求項５に記載の巡回追跡システム。
【請求項９】
前記制御ユニットは、前記インターフェース管理モジュール及び前記データファイリングモジュールに接続されて１つ以上のリマインダー通知回数データの入力または選択に用いられるリマインダー通知回数設定モジュールを更に備えることを特徴とする請求項５に記載の巡回追跡システム。
【請求項１０】
前記ＮＦＣキャリアはステッカー、磁気ロック、キーホルダー、吊り飾り、またはカードキーであることを特徴とする請求項１に記載の巡回追跡システム。
【発明の詳細な説明】
【技術分野】
【０００１】
本発明は、巡回追跡システムに関し、更に詳しくは、ＮＦＣキャリアが巡回位置に設置され、且つ携帯装置のＧＰＳにより座標の巡回記録ファイルが作成されてクラウドサーバーにアップロードされ、前記座標を照合することで、巡回者が正確に巡回地点に到着しているかどうかの判断を可能にする巡回追跡システムに関する。
【背景技術】
【０００２】
ＮＦＣはＮｅａｒ  Ｆｉｅｌｄ  Ｃｏｍｍｕｎｉｃａｔｉｏｎと呼ばれる近距離無線通信の略称であり、２００３年にフェリップス社が提唱し、ノキア社等の有名企業が協同で推進した無線技術であり、その後に多くの企業、大学、ユーザーが国際汎ヨーロッパ連合を設立した。前記ＮＦＣは主に単一のチップを使用した技術であり、カードリーダーや感知式カードキー等の装置と結合されることでポイント・ツー・ポイント機能を利用し、近距離で一定の周波数の範囲で運用可能にしている。
【０００３】
よって、ＮＦＣは携帯電話と他の携帯電話、ＮＦＣラベル、支払装置等の他のＮＦＣ装置との間で情報を伝送する。ＮＦＣのメカニズムにより、ＮＦＣ回路を有する装置と携帯電話との間でデータを共有可能となる。
【０００４】
ＮＦＣは安価であるため、ＮＦＣキャリアを巡回地点に設置させ、電子装置のソフトウェアと組み合わせれば、巡回を行ったかどうかを管理可能になる。
【発明の概要】
【発明が解決しようとする課題】
【０００５】
しかしながら、ＮＦＣキャリアの多くは可動式であるため、巡回人員が事前に別々の場所に設置されているＮＦＣキャリアを収集し、特定の時間点にスキャンを行えば、システムは巡回人員が確実に巡回しているかどうかを正確に把握することができなくなるという明らかな欠陥がある。
【０００６】
ゆえに、本発明はＮＦＣキャリア以外、ＧＰＳ測位のメカニズムを更に組み合わせることで、設定巡回時間が近付くと、巡回者に事前に巡回のリマインダーメッセージを通知する。巡回者が現場を巡回してＮＦＣキャリアをスキャンした後に、ＧＰＳ座標を有する巡回記録ファイルを作成してクラウドにアップロードし、管理者が巡回者が巡回してスキャンした地点が正確かどうか明確に把握可能にする。よって、異なる巡回地点の巡回状態を随時管理可能にすることが、本出願案の最も好ましい解決方法である。
【０００７】
本発明は、このような従来の問題に鑑みてなされたものである。上記課題解決のため、本発明は、巡回追跡システムを提供することを目的とする。
【課題を解決するための手段】
【０００８】
上記課題を解決するために、本発明のある態様の巡回追跡システムは、パスラベルに対応するＮＦＣ回路を含む巡回地点に設置するためのＮＦＣキャリアと、携帯装置と、スクリーンユニットと、ＧＰＳユニットと、ＮＦＣスキャナユニットと、制御ユニットと、を具備し、前記制御ユニットは前記スクリーンユニット、前記ＧＰＳユニット、及び前記ＮＦＣスキャナユニットに接続される携帯装置と、を少なくとも備える。前記制御ユニットは、前記スクリーンユニットに表示される複数の操作インターフェースを提供するためのインターフェース管理モジュールと、前記インターフェース管理モジュールに接続され、ユーザーアカウントにログインさせるためのアカウントログインモジュールと、前記アカウントログインモジュールに接続され、ＮＦＣデータ、基本データ、巡回地点座標、或いは／及び設定写真ファイルを含むＮＦＣ装置設定ファイルを作成するために用いられるデータファイリングモジュールと、前記ＮＦＣスキャナユニット、前記インターフェース管理モジュール、及び前記データファイリングモジュールに接続され、前記操作インターフェース上で１つ以上のパスラベルを入力またはスキャンさせるために用いられ、且つ前記携帯装置により前記ＮＦＣキャリアがスキャンされた後、前記ＮＦＣ回路から伝送されるＮＦＣデータが取得され、前記ＮＦＣデータが前記パスラベルの内容と同じであるか否かを判断させる識別認証モジュールと、前記インターフェース管理モジュール、識別認証モジュール、及び前記データファイリングモジュールに接続され、前記識別認証モジュールにより前記ＮＦＣデータが前記パスラベルの内容と同じであると判断された後、前記操作インターフェース上で１つ以上の基本データを入力させる基本データ設定モジュールと、前記ＧＰＳユニット、前記インターフェース管理モジュール、及び前記データファイリングモジュールに接続され、前記ＧＰＳユニットを介して１つ以上の巡回地点座標（全地球測位システム）を取得させるための座標設定モジュールと、前記ＮＦＣスキャナユニット、前記ＧＰＳユニット、及び前記インターフェース管理モジュールに接続され、前記ＮＦＣキャリアのスキャンを行い、スキャン完了後に巡回地点座標及びスキャン時間点を少なくとも含む巡回記録ファイルが作成される巡回確認モジュールと、前記データファイリングモジュール及び前記巡回確認モジュールに接続され、前記ＮＦＣ装置設定ファイル及び前記巡回記録ファイルのアップロードを行うためのデータアップロードモジュールと、前記携帯装置の制御ユニットに接続されるクラウドサーバーと、を含む。前記制御ユニットは、１つ以上のユーザーアカウント及びパスワードの保存及び作成に用いられ、前記ユーザーアカウントは管理者或いは／及び巡回者のアカウントであるアカウント管理ユニットと、１つ以上のＮＦＣ装置設定ファイルを受信させて保存させ、各ＮＦＣ装置設定ファイルは１つ以上の管理者アカウントに対応させる設定ファイル保存ユニットと、前記設定ファイル保存ユニットに接続され、１つ以上の巡回記録ファイルを受信させて保存させるために用いられ、前記設定ファイル保存ユニット中で前記巡回地点座標の内容に基づいて、前記巡回記録ファイルが対応させるＮＦＣ装置設定ファイルを対応させると共に巡回記録リストを作成する巡回記録ユニットと、を具備する。
【０００９】
本発明の好適例において、前記携帯装置は前記制御ユニットに接続されるマイクユニット及びスピーカーユニットを更に備え、前記制御ユニットは音声設定モジュールを更に含む。前記音声設定モジュールは前記マイクユニット、前記インターフェース管理モジュール、及び前記データファイリングモジュールに接続され、１つ以上のリマインダー音声ファイルの作成または選択に用いられる。前記巡回確認モジュールにより前記ＮＦＣキャリアがスキャンされた後、前記スピーカーユニットにより前記リマインダー音声ファイルが再生される。
【００１０】
本発明の好適例において、前記携帯装置は前記制御ユニットに接続される撮影ユニットを更に備え、前記制御ユニットは写真設定モジュールを更に含む。前記写真設定モジュールは前記撮影ユニット、インターフェース管理モジュール、及び前記データファイリングモジュールに接続され、１つ以上の設定写真ファイルの撮影または選択に用いられる。
【００１１】
本発明の好適例において、前記制御ユニットは、前記インターフェース管理モジュールに接続されると共に前記操作インターフェース上に１つ以上の情報内容を表示させるための情報表示モジュールを更に備える。前記情報内容は文字、画像、シンボル、またはそれらの２種類以上が結合されたものである。
【００１２】
本発明の好適例において、前記クラウドサーバーは巡回リマインダーユニットを更に備え、前記巡回リマインダーユニットは前記設定ファイル保存ユニットに接続され、リマインダー期限データ、リマインダー通知モードデータ、及びリマインダー通知回数データの内容に基づいて設定されたリマインダー時間に近付いているまたはリマインダー時間に達したかが判断され、リマインダーメッセージを発信させる。
【００１３】
本発明の好適例において、前記巡回リマインダーユニットは携帯ショートメールまたはＥメール伝送方式により前記リマインダーメッセージを発信させる。
【００１４】
本発明の好適例において、前記制御ユニットは、前記インターフェース管理モジュール及び前記データファイリングモジュールに接続されて１つ以上のリマインダー期限データの入力または選択に用いられるリマインダー期限設定モジュールを更に備える。
【００１５】
本発明の好適例において、前記制御ユニットは、前記インターフェース管理モジュール及び前記データファイリングモジュールに接続されて１つ以上のリマインダー通知モードデータの入力または選択に用いられるリマインダー通知モード設定モジュールを更に備える。
【００１６】
本発明の好適例において、前記制御ユニットは、前記インターフェース管理モジュール及び前記データファイリングモジュールに接続されて１つ以上のリマインダー通知回数データの入力または選択に用いられるリマインダー通知回数設定モジュールを更に備える。
【００１７】
本発明の好適例において、前記ＮＦＣキャリアはステッカー、磁気ロック、キーホルダー、吊り飾り、またはカードキーである。
【図面の簡単な説明】
【００１８】
【図１Ａ】本発明の一実施形態に係る巡回追跡システムを示す全体構造の概略図である。
【図１Ｂ】本発明の一実施形態に係る巡回追跡システムの制御ユニットを示す構造の概略図である。
【図１Ｃ】本発明の一実施形態に係る巡回追跡システムのクラウドサーバーを示す構造の概略図である。
【図２Ａ】本発明の一実施形態に係る巡回追跡システムのステッカーを示す概略図である。
【図２Ｂ】本発明の一実施形態に係る巡回追跡システムのステッカーから表示ラベルが剥がされる概略図である。
【図２Ｃ】本発明の他の実施形態に係る巡回追跡システムのステッカーから表示ラベルが剥がされる概略図である。
【図３−１】本発明の一実施形態に係る巡回追跡システムの新規追加ステップを示すフローチャートである。
【図３−２】本発明の一実施形態に係る巡回追跡システムの新規追加ステップを示すフローチャートである。
【図４Ａ】本発明の巡回追跡システムの新規追加装置を示す概略図である。
【図４Ｂ】本発明の巡回追跡システムの新規追加装置を示す概略図である。
【図４Ｃ】本発明の巡回追跡システムの新規追加装置を示す概略図である。
【図４Ｄ】本発明の巡回追跡システムの新規追加装置を示す概略図である。
【図４Ｅ】本発明の巡回追跡システムの新規追加装置を示す概略図である。
【図４Ｆ】本発明の巡回追跡システムの新規追加装置を示す概略図である。
【図４Ｇ】本発明の巡回追跡システムの新規追加装置を示す概略図である。
【図４Ｈ】本発明の巡回追跡システムの新規追加装置を示す概略図である。
【図５】本発明の巡回追跡システムのＮＦＣキャリアの使用の実施形態を示す概略図である。
【図６】本発明の巡回追跡システムのプッシュ通知ステップを示すフローチャートである。
【図７Ａ】本発明の巡回追跡システムの巡回の実施形態を示す概略図である。
【図７Ｂ】本発明の巡回追跡システムの巡回の実施形態を示す概略図である。
【図７Ｃ】本発明の巡回追跡システムの巡回の実施形態を示す概略図である。
【図８】本発明の巡回追跡システムのＮＦＣキャリアの他の実施形態を示す概略図である。
【図９】本発明の巡回追跡システムのＮＦＣキャリアの他の実施形態を示す概略図である。
【図１０】本発明の巡回追跡システムのＮＦＣキャリアのさらなる他の実施形態を示す概略図である。
【発明を実施するための形態】
【００１９】
以下、本発明の実施の形態について、図面を参照して詳細に説明する。なお、本発明は以下の例に限定されるものではなく、本発明の要旨を逸脱しない範囲で、任意に変更可能であることは言うまでもない。
【００２０】
まず、図１Ａ、図１Ｂ及び図１Ｃを参照し、本発明に係る巡回追跡システムは、図示されるように、ＮＦＣキャリア１と、携帯装置２と、クラウドサーバー３と、を備える。前記ＮＦＣキャリア１はパスラベルに対応するＮＦＣ回路を含み、且つ前記ＮＦＣキャリアは巡回地点に設置するために用いられる。前記ＮＦＣキャリアは複数でもよく、各ＮＦＣキャリアが対応するパスラベルは同じでも異なっていてもよい。
【００２１】
前記携帯装置２は、スクリーンユニット２１と、撮影ユニット２２と、ＧＰＳユニット２３と、ＮＦＣスキャナユニット２４と、スピーカーユニット２５と、マイクユニット２６と、制御ユニット２７と、を備える。前記制御ユニット２７は前記スクリーンユニット２１、前記撮影ユニット２２、前記ＧＰＳユニット２３、前記ＮＦＣスキャナユニット２４、前記スピーカーユニット２５、及び前記マイクユニット２６に接続される。前記携帯装置２はスマートフォン、タブレット型端末、またはモバイル電子装置である。
【００２２】
図１Ｂに示されるように、前記制御ユニット２７は、インターフェース管理モジュール２７０１と、アカウントログインモジュール２７０３と、データファイリングモジュール２７０２と、識別認証モジュール２７０４と、基本データ設定モジュール２７０５と、座標設定モジュール２７０６と、巡回確認モジュール２７０７と、データアップロードモジュール２７０８と、音声設定モジュール２７０９と、リマインダー期限設定モジュール２７１０と、リマインダー通知モード設定モジュール２７１１と、リマインダー通知回数設定モジュール２７１２と、写真設定モジュール２７１３と、情報表示モジュール２７１４と、を備える。
【００２３】
前記インターフェース管理モジュール２７０１は前記スクリーンユニット２１上に表示される１つ以上の操作インターフェース２７０１１を提供するために用いられる。前記データファイリングモジュール２７０２はＮＦＣ装置設定ファイルを作成するために用いられる。前記ＮＦＣ装置設定ファイルは、ＮＦＣデータ、基本データ、巡回地点座標、リマインダー音声ファイル、リマインダー期限データ、リマインダー通知モードデータ、リマインダー通知回数データ、或いは／及び設定写真ファイルを含む。
【００２４】
前記アカウントログインモジュール２７０３はユーザーアカウントのログインを行うために用いられ、前記ユーザーアカウントは管理者或いは／及び巡回者のアカウントである。前記識別認証モジュール２７０４は前記操作インターフェース２７０１１上で１つ以上のパスラベルを入力またはスキャンするために用いられ、且つ前記携帯装置２のＮＦＣスキャナユニット２４により前記ＮＦＣキャリア１がスキャンされた後、前記ＮＦＣ回路１１から伝送されるＮＦＣデータが取得される。前記識別認証モジュール２７０４は前記ＮＦＣデータが前記パスラベルの内容と同じであるかどうかを判断させる。
【００２５】
前記基本データ設定モジュール２７０５は前記ＮＦＣデータが前記パスラベルの内容と同じかどうかを判断させた後、前記操作インターフェース２７０１１上で１つ以上の基本データを入力するために用いられる。前記基本データは名称データ或いは／及び位置データを少なくとも含む。前記座標設定モジュール２７０６は前記ＧＰＳユニット２３により１つ以上の巡回地点座標を取得させる。
【００２６】
巡回確認モジュール２７０７は前記ＮＦＣスキャナユニット２４により前記ＮＦＣキャリア１をスキャンさせるために用いられ、スキャン完了後に前記スピーカーユニット２５により前記リマインダー音声ファイルが再生されると共に巡回記録ファイルが作成される。前記巡回記録ファイルは巡回地点座標及びスキャン時間点を少なくとも含む。
【００２７】
前記データアップロードモジュール２７０８は前記ＮＦＣ装置設定ファイル及び前記巡回記録ファイルを前記クラウドサーバー３にアップロードさせるために用いられる。前記音声設定モジュール２７０９は１つ以上のリマインダー音声ファイルの作成または選択に用いられる。
【００２８】
前記リマインダー期限設定モジュール２７１０は１つ以上のリマインダー期限データの入力または選択に用いられ、前記リマインダー期限データには年、月、及び時間が設定される。前記リマインダー通知モード設定モジュール２７１１は１つ以上のリマインダー通知モードデータの入力または選択に用いられ、前記リマインダー通知モードデータはＥメール通知または携帯電話プッシュ通知方式を含む。
【００２９】
前記リマインダー通知回数設定モジュール２７１２は１つ以上のリマインダー通知回数データの入力または選択に用いられ、前記リマインダー通知回数データとして、１回、繰り返し、時間間隔をあけて通知、を含む。また、前記写真設定モジュール２７１３は１つ以上の設定写真ファイルの撮影または選択に用いられる。
【００３０】
前記情報表示モジュール２７１４は前記操作インターフェース上で１つ以上の情報内容を表示させるために用いられ、前記情報内容は文字、画像、シンボルまたはそれらの２種類以上が結合されたものである。また、ティッカーモードにより広報または警告等のメッセージ内容を表示する。
【００３１】
また、図１Ｃに示されるように、前記クラウドサーバー３は、アカウント管理ユニット３１と、設定ファイル保存ユニット３２と、巡回記録ユニット３３と、巡回リマインダーユニット３４と、を備える。前記アカウント管理ユニット３１は１つ以上のユーザーアカウント及びパスワードの保存及び作成に用いられ、前記設定ファイル保存ユニット３２は１つ以上のＮＦＣ装置設定ファイルを受信させて保存させるために用いられる。各ＮＦＣ装置設定ファイルは１つ以上の管理者アカウントに対応させる。
【００３２】
前記巡回記録ユニット３３は１つ以上の巡回記録ファイルを受信させて保存させるために用いられ、前記巡回記録ユニットは前記設定ファイル保存ユニット３２中で前記巡回地点座標の内容に基づいて、前記巡回記録ファイルが対応させるＮＦＣ装置設定ファイルを対応させると共に巡回記録リストを作成する。
【００３３】
前記巡回リマインダーユニット３４は前記リマインダー期限データ、リマインダー通知モードデータ、及び前記リマインダー通知回数データの内容に基づいて、設定されたリマインダー時間に近付いているまたはリマインダー時間に達したか否かを判断させ、リマインダーメッセージを発信させるために用いられる。前記巡回リマインダーユニット３４は携帯ショートメールまたはＥメール伝送方式により前記リマインダーメッセージを発信させる。Ｅメール伝送方式の場合、携帯装置２以外にも、Ｅメールまたはプッシュ通知された電子情報を読み取れる他の装置により受信させてもよい。
【００３４】
前記ＮＦＣキャリア１はステッカー、磁気ロック、キーホルダー、吊り飾り、またはカードキーであり（上述のＮＦＣキャリア１には１つ以上のランプが更に結合される）、まず、ステッカーを例とする。前記ステッカーはＮＦＣ回路を有し、前記ステッカー本体が前記巡回地点の任意の物体に貼られる。
【００３５】
なお、図２Ａ、図２Ｂ及び図２Ｃに示されるように、前記ステッカー１１はＮＦＣ回路１１１を備え、複数枚のステッカー１が剥離紙４に貼られる。図２Ｂに示されるように、前記ステッカー１１が剥がされると、前記剥離紙４上にパスラベルが表示される。前記パスラベルはシンボルラベル４１である（シンボルラベルは文字、シンボル、或いは／及び数字の組み合わせ）。前記パスラベルはバーコードラベルでもよく（図２Ｃ参照）、前記ステッカー１１が剥がされると、前記剥離紙４上に一次元バーコードラベル４２または二次元バーコードラベル４３が表示される。
【００３６】
装置を新規追加する場合、図３-１及び３-２に示されるように、下記にそのステップを示す。
（１）３０１ＮＦＣキャリアを新規追加する場合、まず３０２新規追加機能が起動されたか否か判断され、起動されていないと判断された場合、他のフローチャートＡに進み、起動されたと判断された場合、３０３管理者パスワード（パスラベル）の入力が提示される。
（２）続いて、３０４管理者パスワードが正確か否かを判断させ、不正確である場合、３０５パスワード入力エラーが表示され、正確である場合、３０６ＮＦＣパスワードを入力する。
（３）続いて、３０７ＮＦＣキャリアがスキャンされ、３０８前記ＮＦＣ回路から伝送されるＮＦＣデータが取得されると共に前記ＮＦＣデータが前記パスラベルの内容と同じであるか否かが判断され、異なる場合、３０９前記制御ユニットの操作インターフェース上にＮＦＣ入力エラー等のメッセージが表示される。
（４）前記ＮＦＣデータが前記パスラベルの内容と同じであると判断された場合、フローチャートＢに進み、まず３１０設備の名称、説明、及び位置を入力し、続いて、３１１音声及び取得した測位情報を入力し、３１２リマインダー期限を入力し、３１３リマインダー方式を入力し、３１４リマインダーモードを入力する。
（５）最後に、３１５入力されたデータが正確であるか否かが判断され、不正確である場合、３１６前記操作インターフェース上に入力されたデータが不正確である等のメッセージが表示され、正確である場合、３１７前記操作インターフェース上に入力されたデータが正確である等のメッセージが表示されると共にホストコンピューターのデータベース（制御ユニットに保存されたデータ）が更新される。
（６）また、ステップ３０６、３０９、及び３１６の判断が不正確である場合、ステップ３０２に戻って再度実行される。
【００３７】
図４Ａに示されるように、まず管理者アカウントのパスワードを入力し、続いて、図４Ｂ乃至図４Ｃに示されるように、使用者がパスラベルを入力またはスキャンすると、前記ステッカー本体のスキャンが提示され、前記ＮＦＣ回路から伝送されるＮＦＣデータが取得される。その後前記ＮＦＣデータが前記パスラベルの内容と同じであるか否かが判断される。
【００３８】
同じである場合、図４Ｄ乃至図４Ｈに示されるように、使用者が基本データ（データとして写真、装置の名称、説明、或いは装置の位置を更に含む）、ＧＰＳ位置、リマインダー期限データ、リマインダー通知モードデータ、及びリマインダー通知回数データを入力する。前記リマインダー通知モードデータは携帯電話のプッシュ通知またはＥメール伝送であり、設定完了後、前記基本データ、リマインダー期限データ、リマインダー通知モードデータ、及びリマインダー通知回数データによりＮＦＣ装置設定ファイルが作成され、前記ＮＦＣ装置設定ファイルが前記クラウドサーバー３にアップロードされる。
【００３９】
また、設定が完了したＮＦＣ装置設定ファイルは前記クラウドサーバー３にアップロードされる以外、前記制御ユニット２７中でもファイルの保存が行われる。これにより、使用者が設定ファイルを開いて内容を修正し、修正済の設定ファイルを再度アップロードすることで古い設定ファイルを更新できる。
【００４０】
図５に示されるように、異なるＮＦＣキャリア１が同じパスラベルを有するため、ＮＦＣキャリア１のメーカーが大量生産可能になり、管理者が複数のステッカー１１（ＮＦＣキャリア）を異なる巡回地点の対象物５（郵便受け）に貼った後、複数の巡回地点が構築される。前記クラウドサーバー３が自動または手動で異なる巡回地点と巡回人員とのマッチングを行い、前記リマインダー通知モードデータ及びリマインダー通知回数データに設定された内容に基づいて、それぞれの巡回人員に別々の巡回地点に巡回に行くように通知が出される。
【００４１】
図６に示されるように、６０１アプリが起動されると、まず６０２インターネットに接続されているか否かが判断され、接続されている場合、６０３ホストコンピューターのデータベース（制御ユニット２７）のデータが前記サーバー（クラウドサーバー３）にアップロードされ、６０４前記サーバー（クラウドサーバー３）によりデータベースの設定された内容を更新させる必要があるか否かが判断され、必要がある場合、６０５サーバー（クラウドサーバー３）がデータベースを自動的に更新させる。但し、更新がない場合、ステップ６０６に進む。
【００４２】
続いて、６０６サーバー（クラウドサーバー３）により設定された時間に達したか否かが判断され、達した場合、６０７設定に基づいてプッシュ通知メッセージが送られる。反対に、ステップ６０３及び６０６において否と判断された場合、或いはプッシュ通知メッセージの後に、６０８アプリの機能が実行されたか否かが判断される。
【００４３】
ステップ６０７において応と判断された場合、６０９起動されたアプリの機能に従って実行される。反対に、ステップ６０７において否と判断された場合、ステップ６０２に戻る。
【００４４】
図７Ａ乃至図７Ｃに示されるように、巡回人員がアカウントにログインした後、巡回すべき地点及び巡回ルール（図示省略）を知ることができるが、但し、リマインダー期限データ、リマインダー通知モードデータ、リマインダー通知回数データを含む。よって、巡回人員が現場に到着した後、前記ＮＦＣキャリア１がスキャンされると、図７Ｃに示されるように、１つ以上のリマインダー音声ファイルが再生され、ＧＰＳ位置が取得され、且つ前記情報表示フィールド２７０１２上にティッカーモードにより広報または警告等のメッセージ内容が表示される。続いて、前記アップロード確認欄２７０１３が押されるとデータがアップロードされ、或いはデータが自動的にアップロードされるように設定される。アップロード成功後、前記アップロード確認欄２７０１３にアップロード成功等のメッセージが表示される。
【００４５】
また、前記ＮＦＣキャリア１は磁気ロックであり、図８に示されるように、前記磁気ロック１２はＮＦＣ回路１２１を有し、前記磁気ロック１２の表面には前記磁気ロック１２の表面のパスラベル１２３を被覆させるための被覆物１２２が貼付される（前記パスラベル１２３は前記被覆物１２２の裏面に印刷されてもよい）。前記磁気ロック１２はキーホルダーとしても使用できる。
【００４６】
また、前記ＮＦＣキャリア１はカードキーであり、図９に示されるように、前記カードキー１３はＮＦＣ回路１３１を有し、前記カードキー１３の表面には前記カードキー１３の表面のパスラベル１３３を被覆させるための被覆物１３２が貼付される（前記パスラベル１３３は前記被覆物１３２の裏面に印刷されてもよい）。
【００４７】
また、前記ＮＦＣキャリア１は吊り飾りであり（図８参照）、前記吊り飾り１４はＮＦＣ回路１４１を有し、前記吊り飾り１４の表面には前記吊り飾り１４の表面のパスラベル１４３を被覆させるための被覆物１４２が貼付される（前記パスラベル１４３は前記被覆物１４２の裏面に印刷されてもよい）。
【００４８】
アップロード後、システムはＧＰＳ位置に基づいて自動的に比較を行い、且つ巡回記録を基に巡回記録リストを作成し、リスト内容は下記表１に示す。
【００４９】
【表１】
2020119067.tif 000003
このように、本発明は警察、保安巡回分野、機械または電子設備の定期メンテナンス分野、倉庫管理及び物流分野、不動産管理分野、消防安全施設の巡回分野、建築及び工事の安全施設の巡回分野、或いは他の巡回が必要な分野等に広く応用可能である。列挙される応用分野は本発明の好ましい実施形態の一例にすぎず、本願の特許請求範囲を制限するものではない。巡回作業が必要な分野は全て本発明の応用分野の範囲に含まれる。
【００５０】
本発明所に係る巡回追跡システムは、他の従来の技術と比べ、以下の長所を有する。
本発明にはＧＰＳ測位のメカニズムが組み合わせられ、管理者は巡回者が巡回してスキャンする地点を正確に知ることができ、異なる巡回地点の実際の巡回状態を随時管理可能になる。
本発明は複数のＮＦＣキャリアが異なる巡回地点に設置され、電子装置のソフトウェアが組み合わせられ、異なる巡回地点の巡回時間及び巡回情報が管理され、設定巡回時間が近付くと、巡回者に巡回に行くようにリマインダーメッセージが通知される。
本発明は巡回者が現場に巡回に訪れてＮＦＣキャリアをスキャンした後、巡回記録ファイルが作成されると共にクラウドにアップロードされてレポートが作成され、管理者が異なる巡回地点の巡回状態を随時管理可能になる。
本発明は不定期にＧＰＳ座標（全地球測位システム）を受信させるため、巡回者の巡回作業経路が規定通りである否か即時追跡可能であり、巡回者の記録を追跡して成績評価等の評価作業に使用できる。
本発明は音声再生機能を有し、巡回人員がＮＦＣキャリアをスキャンするのみで、巡回地点に応じたリマインダー音声が即時再生され、巡回人員に対して前記地点の関連注意事項が通知される。
【００５１】
上述の実施形態は本発明の技術思想及び特徴を説明するためのものにすぎず、当該技術分野を熟知する者に本発明の内容を理解させると共にこれをもって実施させることを目的とし、本発明の特許請求の範囲を限定するものではない。従って、本発明の精神を逸脱せずに行う各種の同様の効果をもつ改良又は変更は、後述の請求項に含まれるものとする。
【符号の説明】
【００５２】
１  ＮＦＣキャリア
１１  ステッカー
１１１  ＮＦＣ回路
１２  磁気ロック
１２１  ＮＦＣ回路
１２２  被覆物
１２３  パスラベル
１３  カードキー
１３１  ＮＦＣ回路
１３２  被覆物
１３３  パスラベル
１４  吊り飾り
１４１  ＮＦＣ回路
１４２  被覆物
１４３  パスラベル
２  携帯装置
２１  スクリーンユニット
２２  撮影ユニット
２３  ＧＰＳユニット
２４  ＮＦＣスキャナユニット
２５  スピーカーユニット
２６  マイクユニット
２７  制御ユニット
２７０１  操作インターフェース
２７０１２  情報表示フィールド
２７０１３  アップロード確認欄
２７０２  データファイリングモジュール
２７０３  アカウントログインモジュール
２７０４  識別認証モジュール
２７０５  基本データ設定モジュール
２７０６  座標設定モジュール
２７０７  巡回確認モジュール
２７０８  データアップロードモジュール
２７０９  音声設定モジュール
２７１０  リマインダー期限設定モジュール
２７１１  リマインダー通知モード設定モジュール
２７１２  リマインダー通知回数設定モジュール
２７１３  写真設定モジュール
２７１４  情報表示モジュール
３  クラウドサーバー
３１  アカウント管理ユニット
３２  設定ファイル保存ユニット
３３  巡回記録ユニット
３４  巡回リマインダーユニット
４  剥離紙
４１  シンボルラベル
４２  一次元バーコードラベル
４３  二次元バーコードラベル
５  対象物
【図１Ａ】
2020119067.tif 000004
【図１Ｂ】
2020119067.tif 000005
【図１Ｃ】
2020119067.tif 000006
【図２Ａ】
2020119067.tif 000007
【図２Ｂ】
2020119067.tif 000008
【図２Ｃ】
2020119067.tif 000009
【図３−１】
2020119067.tif 000010
【図３−２】
2020119067.tif 000011
【図４Ａ】
2020119067.tif 000012
【図４Ｂ】
2020119067.tif 000013
【図４Ｃ】
2020119067.tif 000014
【図４Ｄ】
2020119067.tif 000015
【図４Ｅ】
2020119067.tif 000016
【図４Ｆ】
2020119067.tif 000017
【図４Ｇ】
2020119067.tif 000018
【図４Ｈ】
2020119067.tif 000019
【図５】
2020119067.tif 000020
【図６】
2020119067.tif 000021
【図７Ａ】
2020119067.tif 000022
【図７Ｂ】
2020119067.tif 000023
【図７Ｃ】
2020119067.tif 000024
【図８】
2020119067.tif 000025
【図９】
2020119067.tif 000026
【図１０】
2020119067.tif 000027